(57)【要約】      （修正有）【課題】改良されたユーザ・インターフェイスを提供する。【解決手段】実施形態は、モバイル・デバイス、ラップトップ機、デスクトップ機、サーバなどのデバイスの内容を２次元のフィールドまたはテーブルにマッピングし、ユーザによる内容へのアクセスを提供するためにユーザのポーズまたは運動をテーブル内の座標にマッピングする、ハードウェアおよび／またはコードなどの論理を含む。内容にアクセスするための可聴ユーザ・インターフェイスおよび聴覚的マッパを含むモバイル・インターネット・デバイスに接続された腕時計、リング、およびヘッドセットなどのワイヤレス周辺機器を利用する。可聴ユーザ・インターフェイスは、周辺機器のうちの１つまたは複数に関連する動きまたは運動を記述するポーズ・データを受け取り、可聴アイテムなどのフィードバックおよびいくつかの実施形態では他のフィードバックを提供するために、周辺機器と通信で結合される。【選択図】図２
2010157242.tif 000002
【特許請求の範囲】
【請求項１】
ユーザ・インターフェイスからのポーズ・データをセルの第１セットの第１マッピングに関連付ける段階であって、セルの前記第１セットの各セルは、幅、高さ、ならびに前記第１マッピングの行および列内の関連する座標を有する、関連付ける段階と、
前記第１セルの前記第１マッピングを基準座標を有する基準位置に関連付ける段階と、
複数の速度のうちの第１速度および前記基準位置に基づく第１ポーズ位置を識別するために前記ユーザ・インターフェイスからの前記ポーズ・データを解釈する段階であって、前記第１ポーズ位置は、前記第１マッピング内の座標の第１セットを有する、解釈する段階と、
座標の前記第１セットに基づいて、第１セルを前記第１ポーズ位置に関連付ける段階と、
前記第１速度での前記第１セルのトラバースに基づいて、前記第１セルに関連する第１可聴アイテムを判定する段階と、
前記第１セルに関連するオーディオを出力するために、前記ユーザ・インターフェイスに前記第１可聴アイテムを送る段階と、
を含む、聴覚的マッピングの方法。
【請求項２】
複数の速度の第２速度が後続ポーズ位置を有するセルの前記第１セットのうちの少なくとも１つのサイズを変更することを識別するために、前記ユーザ・インターフェイスからの後続ポーズ・データを解釈する段階をさらに含むことを特徴とする請求項１記載の方法。
【請求項３】
前記後続ポーズ・データを解釈する段階は、前記第２速度でのセルの前記第１セットの第２セルに関連する第２ポーズ位置上のトラバースを示し、前記第２速度は、前記第１速度より遅く、前記第２速度に基づいて、前記第１速度でトラバースする間に前記第２セルの前記サイズに関する前記第２セルのサイズを増やすことを特徴とする請求項２記載の方法。
【請求項４】
前記後続ポーズ・データを解釈する段階は、前記第２速度でのセルの前記第１セットの第２セルに関連する第２ポーズ位置上のトラバースを示し、前記第２速度は、前記第１速度より遅く、前記第２速度に基づいて、第２可聴アイテムを送り、前記第２可聴アイテムは、前記第１可聴アイテムより長い持続時間を有することを特徴とする請求項２記載の方法。
【請求項５】
前記後続ポーズ・データを解釈する段階は、第３速度でのセルの前記第１セットの第３セルに関連する第３ポーズ位置上のトラバースを示し、前記第３速度は、前記第１速度より速く、前記第３速度に基づいて、前記第１速度でトラバースする間に前記第３セルのサイズに関する前記第３セルのサイズを減らすことを特徴とする請求項２記載の方法。
【請求項６】
前記後続ポーズ・データを解釈する段階は、第３速度でのセルの前記第１セットの第３セルに関連する第３ポーズ位置上のトラバースを示し、前記第３速度は、前記第１速度より速く、前記第３速度に基づいて、第３可聴アイテムを送り、前記第３可聴アイテムは、前記第１可聴アイテムより短い持続時間を有することを特徴とする請求項２記載の方法。
【請求項７】
前記ユーザ・インターフェイスから前記ポーズ・データを受け取る段階をさらに含み、前記ポーズ・データは、角運動を示すデータを含み、前記角運動は、経度成分および緯度成分を有する実質的に球の表面に沿った角運動を含むことを特徴とする請求項１記載の方法。
【請求項８】
座標の前記第１セットを判定するために前記ポーズ・データの前記経度成分および前記緯度成分を処理する段階、および、前記第１ポーズ位置が前記第１セル内にあることを判定するために座標の前記第１セットを前記第１マッピングと比較する段階、をさらに含むことを特徴とする請求項７記載の方法。
【請求項９】
前記第１セルに関して前記第１ポーズ位置を示すものとして知覚できる形で１つまたは複数のスピーカの間で出力オーディオを分散させるために頭部伝達関数を用いて前記可聴アイテムを調整する段階をさらに含むことを特徴とする請求項１記載の方法。
【請求項１０】
前記ポーズ・データが第５セル内にある座標の第３セットを示す間に選択信号を受け取り、これに応答して、前記第１マッピングを変更する段階をさらに含むことを特徴とする請求項１記載の方法。
【請求項１１】
複数の速度の第１速度を識別するためにユーザ・インターフェイスからのポーズ・データを解釈するポーズ・データ・インタープリタと、
ユーザ・インターフェイスからのポーズ・データをセルの第１セットの第１マッピングに関連付けるポーズ状態デターミナであって、セルの前記第１セットの各セルは、前記第１セルの前記第１マッピングを基準座標を有する基準位置に関連付けるためおよび現在のポーズ状態を第１速度および前記基準位置に基づく第１ポーズ位置に関連付けるために幅、高さ、ならびに前記第１マッピングの行および列内の関連する座標を有し、前記第１ポーズ位置は、前記第１マッピング内の座標の第１セットを有し、前記ポーズ状態デターミナは、座標の前記第１セットに基づいて第１セルを前記第１ポーズ位置に関連付けるためにセル・アソシエータを含む、ポーズ状態デターミナと、
前記第１速度での前記第１セルのトラバースに基づいて前記第１セルに関連する第１可聴アイテムを判定し、前記第１セルに関連するオーディオを出力するために前記第１可聴アイテムを前記ユーザ・インターフェイスに送るオーディオ出力論理と、
を含むことを特徴とする聴覚的マッピングの装置。
【請求項１２】
前記ポーズ状態デターミナは、変化する速度に応答して前記第１セルのサイズを変更する拡大論理を含むことを特徴とする請求項１１記載の装置。
【請求項１３】
低下するポーズ変化速度に応答して前記第１セルに関連する第２可聴アイテムを送るオーディオ出力論理をさらに含み、前記第２可聴アイテムは、前記第１可聴アイテムより長い持続時間を有することを特徴とする請求項１１記載の装置。
【請求項１４】
前記オーディオ出力論理は、増加するポーズ変化速度に応答して前記第１セルに関連する第３可聴アイテムを送る論理を含み、前記第３可聴アイテムは、前記第１可聴アイテムより短い持続時間を有することを特徴とする請求項１１記載の装置。
【請求項１５】
前記ポーズ・データ・インタープリタは、前記ユーザ・インターフェイスから前記ポーズ・データを受け取る角運動プロセッサを含み、前記ポーズ・データは、角運動を示すデータを含み、前記角運動は、経度成分および緯度成分を有する実質的に球の表面に沿った角運動を含むことを特徴とする請求項１４記載の装置。
【請求項１６】
前記ポーズ・データ・インタープリタは、座標の前記第１セットを判定するために前記ポーズ・データの前記経度成分および前記緯度成分を処理する前記角運動プロセッサを含むことを特徴とする請求項１５記載の装置。
【請求項１７】
前記ポーズ状態デターミナは、前記第１速度からの変化に基づいてセルの前記第１セットのうちの複数のサイズを変更する拡大論理を含み、セルの前記第１セットのうちの前記複数は、前記第１ポーズ位置に近接することを特徴とする請求項１１記載の装置。
【請求項１８】
前記ポーズ状態デターミナは、前記現在のポーズ状態が前記第１セル内にある間に選択信号を受け取る選択論理、および、それに応答して前記第１マッピングを変更するマッピング論理、を含むことを特徴とする請求項１１記載の装置。
【請求項１９】
前記マッピング論理は、前記第１マッピングを第２マッピングに置換し、前記第２マッピングを新しい基準位置に関連付ける論理を含むことを特徴とする請求項１１記載の装置。
【請求項２０】
前記マッピング論理は、セルの第２セットのリストを順次トラバースするために後続ポーズ・データを解釈するように前記ポーズ状態デターミナに指示する論理を含むことを特徴とする請求項１９記載の装置。
【請求項２１】
複数の速度のうちの第１速度を識別するために可聴ユーザ・インターフェイスからのポーズ・データを解釈し、可聴ユーザ・インターフェイスからのポーズ・データをセルの第１セットの第１マッピングに関連付ける聴覚的マッパであって、セルの前記第１セットの各セルは、前記第１セルの前記第１マッピングを基準座標を有する基準位置に関連付け、前記基準位置に基づいて現在のポーズ状態を前記第１速度および第１ポーズ位置に関連付けるために、幅、高さ、ならびに前記第１マッピングの行および列に関連する座標を有し、前記第１ポーズ位置は、前記第１マッピング内の座標の第１セットを有し、ポーズ状態デターミナは、座標の前記第１セットに基づいて第１セルを前記第１ポーズ位置に関連付けるセル・アソシエータを含み、前記聴覚的マッパは、前記第１速度での前記第１セルのトラバースに基づいて前記第１セルに関連する第１可聴アイテムを判定し、前記第１セルに関連するオーディオを出力するために前記ユーザ・インターフェイスに前記第１可聴アイテムを送る、聴覚的マッパと、
ワイヤレス送信機／受信機と、
前記第１マッピングをトラバースするために前記ポーズ・データを受け取り、前記ポーズ・データを前記聴覚的マッパに送る、前記ワイヤレス送信機／受信機に結合された前記可聴ユーザ・インターフェイスと、
を含むことを特徴とする聴覚的マッピングのシステム。
【請求項２２】
前記ポーズ状態デターミナは、変化する速度に応答して前記第１セルのサイズを変更する拡大論理を含むことを特徴とする請求項２１記載のシステム。
【請求項２３】
低下する変化するポーズ速度に応答して前記第１セルに関連する第２可聴アイテムを送るオーディオ出力論理をさらに含み、前記第２可聴アイテムは、前記第１可聴アイテムより長い持続時間を有することを特徴とする請求項２１記載のシステム。
【請求項２４】
オーディオ出力論理は、増加する速度に応答して前記第１セルに関連する第３可聴アイテムを送る論理を含み、前記第３可聴アイテムは、前記第１可聴アイテムより短い持続時間を有することを特徴とする請求項２１記載のシステム。
【請求項２５】
オーディオ出力論理は、前記第１セルに関する前記第１ポーズ位置を示すものとして少なくとも２つのスピーカの近くのユーザによって知覚できる形で１つまたは複数のスピーカの間で出力オーディオを分散させるために頭部伝達関数を用いて前記可聴アイテムを調整する伝達関数論理を含むことを特徴とする請求項２１記載のシステム。
【請求項２６】
前記ポーズ状態デターミナは、前記現在のポーズ状態が前記第１セル内にある間に選択信号を受け取る選択論理、および、それに応答して前記第１マッピングを変更するマッピング論理、を含むことを特徴とする請求項２１記載のシステム。
【請求項２７】
聴覚的マッピングのためのコンピュータ・プログラム製品において、
それを用いて実施されるコンピュータ使用可能プログラム・コードを有するコンピュータ使用可能な媒体であって、前記コンピュータ使用可能プログラム・コードが実行されると、
ユーザ・インターフェイスからのポーズ・データをセルの第１セットの第１マッピングに関連付ける段階であって、セルの前記第１セットの各セルは、幅、高さ、ならびに前記第１マッピングの行および列内の関連する座標を有する、関連付ける段階と、
前記第１セルの前記第１マッピングを基準座標を有する基準位置に関連付ける段階と、
複数の速度のうちの第１速度および前記基準位置に基づく第１ポーズ位置を識別するために前記ユーザ・インターフェイスからの前記ポーズ・データを解釈する段階であって、前記第１ポーズ位置は、前記第１マッピング内の座標の第１セットを有する、解釈する段階と、
座標の前記第１セットに基づいて、第１セルを前記第１ポーズ位置に関連付ける段階と、
前記第１速度での前記第１セルのトラバースに基づいて、前記第１セルに関連する第１可聴アイテムを判定する段階と、
前記第１セルに関連するオーディオを出力するために、前記第１可聴アイテムを送る段階と、
を含む動作を実行するように構成されたコンピュータ使用可能プログラム・コードを含むことを特徴とするコンピュータ・プログラム製品。
【請求項２８】
前記動作は、複数の速度のうちの第２速度を識別するために前記ユーザ・インターフェイスからの後続ポーズ・データを解釈する段階、および、前記第２速度に基づいて後続ポーズ位置のセルの前記第１セットのうち少なくとも１つのサイズを変更する段階、をさらに含むことを特徴とする請求項２７記載のコンピュータ・プログラム製品。
【請求項２９】
前記動作は、第２可聴アイテムを送る段階をさらに含み、前記第２可聴アイテムは、前記第２速度に基づいて前記第１可聴アイテムより長い持続時間を有することを特徴とする請求項２８記載のコンピュータ・プログラム製品。
【請求項３０】
前記動作は、第２可聴アイテムを送る段階をさらに含み、前記第２可聴アイテムは、前記第２速度に基づいて前記第１可聴アイテムより短い持続時間を有することを特徴とする請求項２８記載のコンピュータ・プログラム製品。
【発明の詳細な説明】
【技術分野】
【０００１】
本開示は、全般的にはユーザ・インターフェイス・テクノロジに関する。より具体的には、本開示は、ポーズ・マッピング（ｐｏｓｅ  ｍａｐｐｉｎｇ）に関する。
【背景技術】
【０００２】
セルラー電話機、ハンドヘルド・デバイス、ハンドヘルド・コンピュータ、「パームトップ」、モバイル・インターネット・デバイス（ＭＩＤ）、または類似物などのモバイル・デバイスは、通常、タッチ入力を有するディスプレイ・スクリーンまたはミニチュア・キーボードもしくはマイクロ・キーボードなどのユーザ・インターフェイスを有するポケットサイズのコンピューティング・デバイスである。多くの携帯情報端末（ＰＤＡ）は、入力および出力をタッチスクリーン・インターフェイスに一体化する。
【０００３】
スマートホン、ＰＤＡ、およびエンタープライズ・ディジタル・アシスタント（ＥＤＡ）などのモバイル・デバイスは、従来のコンピュータを持ち運ぶことが実用的でない環境で従来のコンピュータの支援および便宜を必要とする人に人気のあるツールである。ＥＤＡは、バー・コード・リーダ、Ｒａｄｉｏ  Ｆｒｅｑｕｅｎｃｙ  Ｉｄｅｎｔｉｆｉｃａｔｉｏｎ（ＲＦＩＤ）リーダ、およびスマート・カード・リーダなどの一体化されたデータ取り込みデバイスなどの機能性をビジネス・ユーザに提供する。多くのＰＤＡの場合と同様に、ＥＤＡは、タッチ・スクリーン、Ｉｎｆｒａｒｅｄ  Ｄａｔａ  Ａｓｓｏｃｉａｔｉｏｎ（ＩｒＤＡ）、Ｂｌｕｅｔｏｏｔｈ（登録商標）、およびメモリ・カード・スロットをも含む場合がある。
【０００４】
モバイル・デバイスが処理、通信、およびストレージにおいて能力を高めるにつれて、これらのデバイスのこれらの能力および固有のモビリティを利用するために、新しい応用例が現れつつある。しかし、モビリティは、モバイル・デバイスのユーザがかかわることのできる対話型のタイプに対して複数の制約を課す。ユーザが、視覚的対話が不適切である時にデバイス機能（カレンダ、連絡先、ロケーション・ベースのサービス、電子メール、…）を使用することが、ますます一般的である。そのような状況の例は、ユーザが物理的にアクティブである（歩いている、走っている、運転している）状況、デバイスが到達可能ではない（たとえば、財布またはポケットの中）状況、スクリーンがすばやい対話のためには小さすぎる状況、あるいはユーザが集中力を要するアクティビティまたは少なくとも視覚的に集中力を要するアクティビティにかかわっている状況である。
【０００５】
フォーム・ファクタ制約に起因して、ユーザ・インターフェイスは、モバイル・デバイスの実用的使用に対する主な制限を与えるものになってきた。たとえば、フル・サイズのキーボードおよびディスプレイを有することは、明らかに、モバイル・デバイスと共に使用するための実用的なオプションではない。フル・サイズ・キーボードの代わりに、多くのモバイル・デバイスは、マイクロ・キーボード、キー・パッド、またはキーおよびボタンの独自の組合せを組み込まれ、これらは、より非理想的であり、マルチタスキングの助けにならない。
【図面の簡単な説明】
【０００６】
【図１Ａ】モバイル・デバイス、腕時計、およびイヤホンを含むシステムの実施形態を示す図である。
【図１Ｂ】手首および肘の位置に対するセルのポーズ−聴覚的マッピングの実施形態を示す図である。
【図１Ｃ】セルの上でのホバリングに応答する可聴アイテム出力の実施形態を示す図である。
【図１Ｄ】セルの１つの上でのホバリングに応答する現在のポーズ位置の近くのセルの拡大の実施形態を示す図である。
【図１Ｅ】ユーザがマッピングをトラバースする速度に基づくセルのサイズの変化を記述する拡大曲線の実施形態を示す図である。
【図１Ｆ】モバイル・デバイス、腕時計、およびイヤホンを含むシステムの状態図の実施形態を示す図である。
【図１Ｇ】モバイル・デバイス、腕時計、およびイヤホンを含むシステムの、手首／肘ポーズ位置にマッピングされるモバイル・デバイス機能の実施形態を示す図である。
【図２】モバイル・デバイス、腕時計、リング、およびイヤホンを含むシステムの実施形態を示す図である。
【図３】加速度計およびスピーカを有するモバイル・デバイスの代替実施形態を示す図である。
【図４】可聴マッピングを介してセルをトラバースする装置の実施形態を示す図である。
【図５】可聴マッピングを介してセルをトラバースする実施形態を示すフロー・チャートである。
【発明を実施するための形態】
【０００７】
次は、添付図面に示された新規の実施形態の詳細な説明である。しかし、提供される詳細の量は、説明される実施形態の予想される変形を限定することを意図されたものではなく、逆に、特許請求の範囲および詳細な説明は、添付の特許請求の範囲によって定義される本教示の趣旨および範囲に含まれるすべての修正形態、同等物、および代替形態を包含しなければならない。下の詳細な説明は、そのような実施形態を当業者に理解できるものにするように設計されている。
【０００８】
全般的に、ポーズ・マッピングをここで説明する。実施形態は、モバイル・デバイス、ラップトップ機、デスクトップ機、またはサーバなどのデバイスの内容を２次元のフィールドまたはテーブルにマッピングし、ユーザによる内容へのすばやいアクセスを提供するためにユーザのジェスチャまたは運動をテーブル内の座標にマッピングする、ハードウェアおよび／またはコードなどの論理を含むことができる。たとえば、多くの実施形態は、デバイス特徴にアクセスするための可聴ユーザ・インターフェイスおよび聴覚的マッパを含むモバイル・インターネット・デバイス（ＭＩＤ）に接続された腕時計、リング、およびヘッドセットなどの３つのワイヤレス周辺機器を利用する。他の実施形態は、たとえばディスプレイと共に使用される、視覚的ユーザ・インターフェイスおよび視覚的マッパを使用する。可聴ユーザ・インターフェイスは、周辺機器のうちの１つまたは複数に関連する動きまたは運動を記述するポーズ・データを受け取り、可聴アイテムなどのフィードバックおよびいくつかの実施形態では他のフィードバックを提供するために、周辺機器に通信的に結合される。複数の実施形態では、内容は、クイック買物メモ項目の記録、インスタント・メッセージング・クラウド・イメージの「応答可能」から「着信拒否」への変更、連絡先リストからの発呼、ロケーション・ベースのアラームのセット、ＭＰ３ボリューム・コントロールの変更、ロケーションまたはＲＦ中間地点のドロップ、ＭＰ３プレイリストの選択、次の会議の時間のチェック、歩行者ナビゲーション道順を聞くこと、電話呼の応答／分配、電子メールまたは交通情報を読むこと、人の名前の記録、環境に伴うＭＩＤの構成、およびもちろん時刻を聞くことなどの応用例を含む。
【０００９】
実施形態は、ワイヤレス通信を容易にすることができる。ワイヤレス実施形態は、Ｂｌｕｅｔｏｏｔｈ（登録商標）、ワイヤレス・ローカル・エリア・ネットワーク（ＷＬＡＮ）、ワイヤレス・メトロポリタン・エリア・ネットワーク（ＷＭＡＮ）、ワイヤレス・パーソナル・エリア・ネットワーク（ＷＰＡＮ）、セルラー・ネットワーク、および／または米国電気電子技術者協会（ＩＥＥＥ）標準規格８０２．１５．４、「Ｗｉｒｅｌｅｓｓ  Ｍｅｄｉｕｍ  Ａｃｃｅｓｓ  Ｃｏｎｔｒｏｌ  （ＭＡＣ）  ａｎｄ  Ｐｈｙｓｉｃａｌ  Ｌａｙｅｒ  （ＰＨＹ）  Ｓｐｅｃｉｆｉｃａｔｉｏｎｓ  ｆｏｒ  Ｌｏｗ  Ｒａｔｅ  Ｗｉｒｅｌｅｓｓ  Ｐｅｒｓｏｎａｌ  Ａｒｅａ  Ｎｅｔｗｏｒｋｓ  （ＬＲ−ＷＰＡＮ）」（２００６）（ｈｔｔｐ：／／ｓｔａｎｄａｒｄｓ．ｉｅｅｅ．ｏｒｇ／ｇｅｔｉｅｅｅ８０２／ｄｏｗｎｌｏａｄ／８０２．１５．４−２００６．ｐｄｆ）などの低電力ワイヤレス通信、モバイル・デバイス、腕時計、イヤホン、およびリングでの通信を一体化して、そのようなデバイスの間の相互作用を容易にすることができる。
【００１０】
さらに、一部のワイヤレス実施形態は、単一のアンテナを組み込むことができるが、他の実施形態は、複数のアンテナを組み込むことができる。たとえば、ｍｕｌｔｉｐｌｅ−ｉｎｐｕｔ  ａｎｄ  ｍｕｌｔｉｐｌｅ−ｏｕｔｐｕｔ（ＭＩＭＯ）は、通信性能を改善するための、送信機と受信機との両方での複数のアンテナの使用である。ＭＩＭＯテクノロジは、追加の帯域幅または送信機出力を用いずに、データ・スループットおよびリンク範囲のかなりの増加を提供する。ＭＩＭＯテクノロジは、より高いスペクトル効率（毎秒帯域幅の１ヘルツあたりのより多くのビット）およびリンク信頼性またはダイバーシティ（減らされたフェージング）によってこれを達成する。
【００１１】
他の実施形態は、モバイル・デバイス、腕時計、イヤホン、およびリングなどの複数のデバイスを相互接続する物理媒体を介して一部またはすべての通信を実施することができる。これらの実施形態のいくつかでは、そのようなデバイスを相互接続する物理媒体を、衣類に一体化することができる。
【００１２】
下で説明する特定の実施形態のいくつかは、特定の構成を有する実施形態に言及し、聴覚的マッピングに関連して説明されるが、当業者は、本開示の実施形態を、視覚的マッピングを含む類似する論点または問題を有する他の構成と共に有利に実施できることを認めるであろう。具体的に言うと、実施形態は、聴覚的にではなくまたは聴覚的に加えて、視覚的にアイテムをマッピングするために視覚的マッパを含むことができる。
【００１３】
ここで図１Ａに移ると、システム１００の実施形態が示されている。システム１００は、モバイル・デバイス１１０、ボタン１２５を有する腕時計１２０、およびイヤホン１３０を含む。この実施形態のモバイル・デバイス１１０は、モバイル・インターネット・デバイス（ＭＩＤ）およびセル電話機である。モバイル・デバイス１１０は、ユーザがトラバースするメニューまたはリストを含み、あるいはこれへのアクセスを提供することができる。たとえば、セル電話機は、クイック買物メモ項目の記録、クラウド・イメージの「応答可能」から「着信拒否」への変更、連絡先リストからの発呼、ロケーション・ベースのアラームのセット、ＭＰ３ボリューム・コントロールの変更、ロケーションまたはＲＦ中間地点のドロップ、プレイリストの選択、次の会議の詳細のチェック、歩行者ナビゲーション道順を聞くこと、電話呼の応答／分配、電子メールまたは交通情報を読むこと、人の名前の記録、環境に伴うＭＩＤの構成、およびもちろん時刻を聞くことのための機能を含むことができる。システム・セッティングもしくはプリファレンス、テキスト・メッセージなどへのアクセスを、メニューまたはサブメニュー・フォーマットでアクセス可能にすることもできる。さらに、セル電話機１１０は、インターネットまたは他のワイヤレス・ネットワークへのアクセスを有し、ユーザがメニューまたはリストを介して複数のリモート・サービスにアクセスすることを可能にすることができる。
【００１４】
モバイル・デバイス１１０は、聴覚的マッピングおよび／またはたとえばディスプレイ上の、視覚的マッピングを介するコンテンツへのアクセスを含むかこれを有することができ、現在の実施形態では、ユーザは、リモートにモバイル・デバイス１１０と対話でき、モバイル・デバイス１１０をポケット、財布、またはバッグの中にあるままにすることができる。リモート通信は、ワイヤレス通信フォーマットを介して達成することができる。ワイヤレス実施形態は、モバイル・デバイス、腕時計、イヤホン、およびリング内のＢｌｕｅｔｏｏｔｈ（登録商標）および／または米国電気電子技術者協会（ＩＥＥＥ）標準規格８０２．１５．４通信などの低電力ワイヤレス通信を一体化することができる。標準規格ＩＥＥＥ  ８０２．１５．４（商標）は、最小限の電力を消費し、通常は１０ｍ（３０フィート）以下の距離で接続する、比較的単純なデバイスの間の低データ・レート接続性を提供する。ＩＥＥＥ  ８０２．１５．４（商標）は、１０から２５０ｋｂｐｓのデータ・レートで動作する固定デバイス、ポータブル・デバイス、および移動するデバイスに対処する。この標準規格は、デバイスが、その中で直接に相互作用できる短距離アド・ホック・ネットワークを形成することを可能にする。
【００１５】
多くの実施形態では、内容を、アイテムごとの可聴アイコンおよび複数の実施形態ではアイテムの名前のテキスト−音声変換などのより長くより説明的な可聴アイテムを含む可聴アイコンのライブラリを介して可聴フォーマットにすることができる。同様に、内容を、各アイテムのグラフィック・アイコンおよびおそらくはより長い説明またはより詳細なグラフィックを有する視覚的内容とすることができる。一実施形態では、内容は、テキストを含むことができ、モバイル・デバイス１１０は、アイテムを、たとえばテキスト−音声変換論理または類似物を介して、１つまたは複数のより長い可聴アイテムに変換することができる。たとえば、連絡先リストから電話をかけるメニュー・アイテムを、一方は電話のベルに似た音を出す可聴アイコンであり他方は句「Ｃａｌｌ  ｆｒｏｍ  Ｃｏｎｔａｃｔ  ｌｉｓｔ（連絡先リストから電話する）」のテキスト−音声変換である、２つの可聴アイテムに関連付けることができる。
【００１６】
ここで図１Ａおよび１Ｂを参照すると、内容の可聴フォーマットまたは視覚フォーマットを、テーブル１２１内のセルにマッピングすることができる。各セルは、行１から４などの行および列ＡからＺなどの列によって表される位置を有することができる。たとえば、セル１Ａは、基準セルと呼ばれ、基準座標を含む。現在の実施形態では、内容の各アイテムは、セルの中央の座標にマッピングされ、セルの高さおよび幅は、ユーザがその中でセルを選択できる範囲である。たとえば、モバイル・デバイスのメイン・メニュー・システムは、連絡先リストから電話をかける機能性を含むことができ、この機能を、少なくとも当初は、基準座標にマッピングすることができる。したがって、ユーザが、対応するポーズの変更によって基準セル１Ａに操縦する場合に、ユーザは、連絡先リストから電話をかける機能を開始することができる。
【００１７】
腕時計１２０は、モバイル・デバイス１１０にテーブル１２１のトラバースに関する情報を与えるために、ユーザによる物理的運動を測定することができる。現在の実施形態では、腕時計１２０は、ユーザの手首１２２のチルトまたは回転の量およびユーザの肘１２３の回転の角度を監視するために、組込み３次元（３−Ｄ）加速度計を含む。他の実施形態では、腕時計１２０は、１つまたは複数の２次元（２−Ｄ）加速度計および／あるいは１つまたは複数のチルト・センサもしくはスイッチまたはジャイロスコープ・センサを含むことができる。さらに、腕時計１２０は、テーブル１２１の境界などの境界に達するかこれを横切る時に、論理境界および／またはポーズ境界に関するフィードバックをユーザに与えるために、モバイル・デバイス１１０から命令を受け取った時に振動するバッテリを含むことができる。他の実施形態では、腕時計１２０は、伝統的な時計機能性なしのリスト・バンドまたはブレスレットを含むことができる。
【００１８】
説明のために、ユーザは、肘１２３および手首１２２によって定義される前腕の軸に沿って手首１２２を、したがって腕時計１２０を時計回りまたは反時計回りに回転することによって、行１から４に沿ったテーブル１２１内の文字入りのセルにアクセスすることができ、手首１２２を肘１２３の上または下に上下に置くことによって、列に沿ってテーブル１２１内に番号入りのセルにアクセスすることができる。実際に、テーブル１２１のセルは、ユーザがこのメニューにアクセスするたびに、同一にマッピングされる。したがって、連絡先リストから電話をかける機能性は、ユーザがこのメニューにアクセスするたびに基準座標のセル１Ａにマッピングされ、したがって、ユーザは、ユーザの手首および肘の角度に関するセルの位置の記憶によって、およびテーブル１２１にマッピングされたメニューに入る時にその同一の位置に移動することによって、連絡先リストから電話をかける機能性に直接にアクセスすることができる。複数の実施形態では、ユーザは、たとえば機能の追加／削除、セルの再配置、セルのサイズの変更、またはセル１Ａの位置もしくは連絡先リストから電話をかける機能性の位置を変更できる類似物によって、モバイル・デバイス１１０のメイン・メニューなどの内容のマッピングを変更しまたはカスタマイズすることができる。
【００１９】
現在の実施形態では、テーブル１２１のセルにアクセスするためのユーザの手首１２２および肘１２３の回転（または角運動）の角度（シータθおよびファイφ）の測定に起因して、テーブル１２１は、球の表面上のマッピングであり、ここで、肘１２３は、球の中心であり、列ＡからＺは、手首１２２の回転（シータθ）の範囲を表し、行１から４は、肘１２３の回転（ファイφ）の範囲を表す。したがって、現在の実施形態では、距離は、緯度角度（シータθ）および経度角度（ファイφ）に関して測定することができ、速度は、時間の変化に対する角度の変化（デルタ・ファイφおよび／またはデルタ・シータθ）において測定することができる。多くの実施形態では、手首１２２および肘１２３について利用される回転の範囲は、ユーザがカスタマイズできるプリファレンスである。いくつかの実施形態では、範囲を、アクティビティごとの基礎で選択可能とすることができ、したがって、ユーザは、ユーザがかかわるアクティビティに依存して範囲を制限し、または拡張することができるようになる。
【００２０】
いくつかの実施形態で、テーブル１２１は、トップ・ゾーン１２６およびドロップ・ゾーン１２７を含む。トップ・ゾーン１２６は、ユーザが親マッピングまたは以前のマッピングに戻るために進むテーブル内の位置を表すことができる。ユーザが、既に最高レベルのマッピングにいる場合、および／またはマッピングがアクセスされる最初のマッピングである場合に、トップ・ゾーン１２６は、何もしないか、聴覚的マッピングから出ることができる。トップ・ゾーン１２６を、セルの最上行の上に配置することができる。ドロップ・ゾーン１２７に入ることによって、聴覚的マッピングから出ることができる。いくつかの実施形態では、トップ・ゾーン１２６およびドロップ・ゾーン１２７は、セル・マッピングに入る時に限って使用可能とすることができる。
【００２１】
現在の実施形態では、腕時計１２０は、ボタン１２５をも含む。ユーザは、ボタン１２５を押して、テーブル１２１内の関心のあるアイテムを選択するか実行することができる。たとえば、テーブル１２１を関心のあるアイテムまでトラバースする時に、ユーザは、腕時計１２０のボタン１２５を押して、モバイル・デバイス１１０に送信される選択信号を生成することができる。他の実施形態では、ユーザは、ボタン１２５を離して、関心のあるアイテムを選択することができる。さらなる実施形態では、ボタン１２５を、容量性スイッチ、感熱スイッチ、または、ユーザがボタン１２５を物理的に動かさずに、もしくは少なくともボタン１２５を顕著には動かさずにアクティブ化できる他のタイプの接触感知スイッチとすることができる。
【００２２】
イヤホン１３０は、可聴アイテムをユーザに再生して、テーブル１２１を介する関心のあるアイテムへのユーザ操縦を助ける。ユーザは、テーブル１２１内の関心のあるアイテムに達するために適当なポーズに変更することによって操縦し、これは、筋肉の記憶を介して経験のあるユーザによって達成され得る。経験のより少ないユーザまたはマッピングの内容に慣れていないユーザは、関心のあるアイテムに達することを試みて複数のセルをナビゲートしまたはトラバースする場合がある。関心のあるアイテムのセルに達することは、いくつかの場合に目標になり得る。というのは、イヤホン１３０が、アイテムのテキストのテキスト−音声予告などの可聴アイテムを再生できるからである。他の場合には、アイテムの選択は、ユーザがアイテムのサブメニュー・マッピングに入ることを可能にすることができる。たとえば、テーブル１２１のセル２Ｌに達する時に（図１Ｃに示されたテーブル１２１のサブセクション１４５を参照されたい）、セル２Ｌの可聴アイテム１４２が、モバイル・デバイス１１０によってイヤホン１３０に出力される。ユーザが、３０ミリ秒（ｍｓ）未満などの短い時間の間に限ってセル２Ｌ内に留まる場合には、短オーディオ・アイコン１４３が、イヤホン１３０に出力される。ユーザが、より長い時間期間の間にセル２Ｌに留まる場合には、フル可聴アイコン１４４を、モバイル・デバイス１１０によってイヤホン１３０に出力することができる。複数の実施形態で、複数の可聴アイテムをセルに関連付けることができ、各可聴アイコンは、ユーザがある時間期間の間にあるセル内に留まるかその上でホバリングすることに応答して出力される。いくつかの実施形態で、可聴アイテムを、頭部伝達関数（ＨＲＴＦ）などの伝達関数によって変更して、現在のポーズ位置またはポーズ座標に関するセル２Ｌの位置としてユーザによって知覚され得る形で複数のスピーカの間で出力オーディオを分散させることができる。他の実施形態では、ＨＴＲＦは、現在のポーズ位置に関連するセルだけを考慮に入れる。多数の実施形態では、モバイル・デバイス１１０は、ユーザが複数のセルをトラバースする時にＨＲＴＦに関連してオーディオ・フェードを実施することができ、以前にトラバースされたセルの可聴アイテムをある側にフェードさせることができ、現在のポーズ位置の可聴アイテムをユーザの前にあるものとすることができ、後続セルの可聴アイテムをボリュームにおいて増やして、ユーザがそのセルに接近しつつあることを示すことができる。さらなる実施形態では、ユーザが関心のあるアイテムまで操縦した後に、彼／彼女は、腕時計１２０上のボタン１２５を使用してアイテムを選択し、サブリストに入るか選択されたアイテムに関連するオーディオ内容を再生するなど、アイテムに関連する機能を実行することができる。
【００２３】
説明のために、セル２Ｌは、モバイル・デバイス１１０のベルのボリュームを変更する機能を表すことができる。セル２Ｌに達することが、モバイル・デバイス１１０に、短オーディオ・アイコン１４３をイヤホン１３０に送らせ、イヤホン１３０は、これに応答して、モバイル・デバイス１１０の現在のボリューム・セッティングでベルを表すサウンド・アイコンを再生する。ユーザが、３０ｍｓより長い間セル２Ｌに留まる時には、モバイル・デバイス１１０は、フル可聴アイコン１４４をイヤホン１３０に送り、イヤホン１３０は、機能の名前「Ｒｉｎｇｅｒ  Ｖｏｌｕｍｅ  Ｃｏｎｔｒｏｌ（ベル・ボリューム制御）」のフル・テキスト−音声変換を出力する。ユーザは、ボタン１２５を押し、ボタン１２５を離し、またはボタン１２５を押したままにする（セル内のアイテムの「グラブ」とも称する）ことによって、ベル・ボリューム制御機能に入ることができる。
【００２４】
ユーザがある時間期間の間にセル２Ｌに留まることに応答してイヤホン１３０に可聴アイテムを送ることに加えて、モバイル・デバイス１１０は、セルの選択を安定させるためにマッピングを拡大することができる。図１Ｄに、セルの１つ２Ｌの上でのホバリングに応答する現在のポーズ位置の近くのセルの拡大の実施形態を示す。テーブル・セクション１４７は、テーブル１２１のセル２Ｌを有する部分を示し、テーブル・セクション１４８は、セクション１４７が拡大された後のセクション１４７を示す。この例では、テーブル・セクション１４７のセルは、６度幅および６度高さである。ユーザがセル２Ｌ上でホバリングする時に、セル２Ｌならびにセル２Ｌの近くのセルの拡大は、モバイル・デバイス１１０によって拡大されて、その幅を１８度に、高さを１８度に増やされ、これは、効果的に、ユーザがセル２Ｌを出るためにトラバースしなければならない距離を増やす。この拡大は、セルに留まるためのセル公差を増やすことによって、セルの選択を安定させる。いくつかの実施形態では、拡大を、全体的に適用可能なセッティングとしてユーザによってプリファレンス内で調整することができ、いくつかの実施形態では、拡大を、アクティビティごとの基礎でプリファレンス内で調整することができる。
【００２５】
図１Ｅに、ユーザがテーブル１２１のマッピング内のセル２Ｌなどのセルをトラバースする速度に基づくセルのサイズの変化を記述する拡大曲線の実施形態を示す。図１Ｅでは、拡大は、指定された時間期間の間のセル上のホバリングの後の拡大の特定の変更ではなく、曲線１４９に基づく拡大である。曲線１４９は、現在のポーズ位置すなわちユーザがトラバースしつつある座標の近くのセルのサイズの、ユーザがセルをトラバースしている速度に基づく変更を示す。曲線１４９は、６度×ｘ度としてセルの最小サイズを、１８度×ｘ度としてセルの最大サイズを定義し、速度（時間の変化に対するデルタ・シータ）は、現在のポーズ位置の近くのセルの実際のサイズを決定する。ｘ度は、ファイを表し、このファイは、拡大が不要である多くの実施形態では、十分に大きくすることができる。他の実施形態では、速度のファイ成分が、拡大を決定するために考慮に入れられる。いくつかの実施形態では、拡大範囲を、マッピング内のセルの個数によって、ユーザ・プリファレンスによって、または別の曲線によって決定することができる。いくつかの実施形態では、列幅セル・サイズシータおよび行高さファイの拡大が、独立に計算され、独立の最小および最大のセル限度を使用する。
【００２６】
ここで図１Ａ，図１Ｂ，図１Ｆを参照すると、図１Ｆには、モバイル・デバイス１１０、腕時計１２０、およびイヤホン１３０を含むシステム１００の状態図１５０の実施形態が示されている。システム１００は、アイドル状態１５１で開始する。アイドル状態１５１では、ユーザは、まだ、モバイル・デバイス１１０の内容の聴覚的マッピングに入るためにモバイル・デバイス１１０の可聴ユーザ・インターフェイスにかかわっていない。ユーザは、手首のフリック（跳ね）１５２によって聴覚的マッピングを開始し、親マッピング状態１５３に移動する。他の実施形態では、ユーザは、ボタン１２５を押すか、ある他のアクションを実行して、アイドル状態１５１から移動しまたは覚醒することができる。別の実施形態では、ユーザは、リング上のボタンを押すか、他の形で、リングに触れることによってスイッチの状態を変更することができる。
【００２７】
親マッピング状態１５３を、たとえば、モバイル・デバイス１１０のメイン・メニューとすることができ、メイン・メニュー・アイテムを、テーブル１２１などのテーブル内のセルにマッピングすることができる。他の実施形態では、親マッピング状態１５３を、モバイル・デバイス１１０のメイン・メニュー・システムから１つまたは複数レベル下のセル・マッピングとすることができる。そのような実施形態では、セル・マッピングが、図１Ｇに示されたマッピングに似ている場合がある。
【００２８】
親マッピング状態１５３から、ユーザは、アイドルのままになることまたは肘１２３をドロップ・ゾーン１５４に回転することによって、アイドル状態１５１に戻ることができる。ドロップ・ゾーン１５４は、聴覚的マッピングから出るかアイドル状態１５１に戻るユーザからのコマンドを示すためのある角度未満の肘１２３の回転など、図１Ｇのドロップ・ゾーン１９２などの位置とすることができる。
【００２９】
親マッピング状態１５３から、ユーザは、親マッピング状態１５３で使用可能なセル１５５にトラバースし、セルを拡大するためにセル上でホバリング１６４し、セルの機能を実行するためにセルにいる間にボタン１２５を押し、離すことによってセルを「クリック」１５６し、あるいは、現在のポーズ位置がセルにある間にボタン１２５を押し、保持することによってセルを「グラブ」１５７することもできる。親マッピングでのセル１５５のトラバースは、テーブル１２１などのセルのテーブルのトラバースまたは図１Ｇに示されているようにセルのリストのトラバースを含む場合がある。図１Ｇが、手首から肘へのビューの展望からテーブル１２１の単一行バージョンを示すことに留意されたい。
【００３０】
セルの実行１５６は、たとえば、現在のポーズ位置のセルがモバイル・デバイス１１０のリダイヤル機能である場合に、ダイヤルされた最後の番号をリダイヤルすることができる。その一方で、現在のポーズ位置のセルにマッピングされた機能が、ボリュームの変更などの機能である場合には、セルのクリック１５６は、聴覚的マッピングを子マッピング状態１５８に変更する場合がある。
【００３１】
ユーザが、親マッピング状態１５３からセルをグラブ１５７する場合には、ユーザは、ボタン１２５を押し続けている間に子マッピング状態１５８に変更することができる。子マッピング状態１５８では、ユーザは、トップ・ゾーン１５９に入り、「グラブされた」ボタンを離すことによって親マッピング状態１５３に戻り、図１Ｇまたはテーブル１２１に関連して説明したようにセル１６０をトラバースし、セルを拡大するためにセルの上にホバリング１６１し、セルを実行するためにボタン１２５を離し、あるいは、アイドル状態１５１に戻るためにドロップ・ゾーン１６３にトラバースし、ボタンを離すことができる。
【００３２】
図１Ｆおよび１Ｇに移る。ボタン１２５を離す時に、ユーザは、ユーザがセルをグラブすることによって子マッピング状態１５８に入る場合に、セルの機能を実行することができる。たとえば、親マッピング状態１５３で、ユーザが、ユーザのお気に入りのまたは最も最近のアクティビティのメニューを含むセルを指すポーズをとると仮定する。ユーザは、ボタン１２５を押し、保持することによって、セルをグラブ１５７することができる。ユーザは、子マッピング状態１５８に入り、この状態のマッピング１９０は、図１Ｇに示されている。まだボタンを押している間に、ユーザは、図示のユーザの手首の回転のうちの１つで手首を位置決めすることによって、メニュー・マッピング１９０をトラバースすることができる。ユーザが、たとえば腕時計１２０の表面が上に面する（このマッピングの基準位置とすることができる）ように手首を回転して子マッピング状態に入る場合に、ユーザは、時刻セルでマッピング１９０に入ることができ、時刻セルが関心のあるセルではない場合に、手首を反時計回りに回転することによって他のセルにアクセスすることができる。この点で、ユーザは、時刻セルを実行するためにボタン１２５を離すことができる。時刻セルの実行は、イヤホン１３０を介して時刻を知らせ、その後、ユーザを親マッピング状態１５３に戻すことができる。
【００３３】
その一方で、ユーザが、腕時計が直接に左に面する状態で子マッピング状態１９０に入り、ユーザが、セルをクリック１５６することによってそれを行う場合には、ユーザは、マッピング１９０の呼制御で子マッピング状態１５８に入ることができる。セルをクリック１５６することによって子マッピング状態１９０に入ることは、ユーザを、時刻セル機能などの機能の実行の後に子マッピング状態１９０に残す。その後、ユーザは、セル呼制御をクリックして呼制御機能性を実行するか、時計回りまたは反時計回りに手首を回転して別のセルを実行することができる。
【００３４】
代替案では、ユーザは、トップ・ゾーン１９１またはドロップ・ゾーン１９２にトラバースすることによって、子マッピング状態１５８から出ることができる。トップ・ゾーン１９１でポーズをとることは、トップ・ゾーン境界１９３を超えて上に、手首を肘の上に位置決めすることを伴い、ユーザを親マッピング状態１５３に戻す。ドロップ・ゾーン１９２へのポーズをとることは、ドロップ・ゾーン境界１９４を超えて下に肘を回転することを伴い、ユーザをアイドル状態１５１に戻す。多くの実施形態では、腕時計に振動させる信号または聴覚的フィードバックなど、ドロップ・ゾーン１９２およびトップ・ゾーン１９１に接近した時に、ユーザにフィードバックが提供される。さらなる実施形態では、ユーザは、ユーザをアイドル状態１５１または親マッピング状態１５３に戻すためにトップ・ゾーン１９１またはドロップ・ゾーン１９２へのポーズをとる時に、ボタンを押す。
【００３５】
図２に、マッピング２２５のアプリケーション、機能、または子マッピングへのアクセスなどの選択されたセルにマッピングされるアイテムを実行するためのメニュー、テーブル、またはリストの聴覚的マッピング２２５をトラバースするシステム２００を示す。システム２００は、モバイル・デバイス２１０、リング２３０、腕時計２４０、およびイヤホン２５０を含むことができる。モバイル・デバイス２１０は、ネットトップ機、ネットブック機、セル電話機、携帯情報端末（ＰＤＡ）、ラップトップ機、ＭＩＤ、または類似物を含むことができる。他の実施形態では、システム２００の機能性を、デスクトップ・コンピュータ、ゲーム機、サーバ、および類似物など、非モバイル・デバイスまたはモバイル未満のデバイスに一体化することができる。
【００３６】
モバイル・デバイス２１０は、１つまたは複数のメニューまたはリストへのアクセスを提供でき、腕時計２４０およびイヤホン２５０ならびに腕時計２４０を介してリング２３０と通信的に結合され得る。いくつかの実施形態では、モバイル・デバイス２１０は、腕時計２４０のインターフェイスを介するのではなく直接に、リング２３０とも通信的に結合され得る。たとえば、モバイル・デバイス２１０は、ルーティング情報をユーザに提供するために、ナビゲーション・コードならびに全地球測位システムおよび地図データを含むことができる。モバイル・デバイス２１０は、メモリ２２０内に機能および宛先を含むメニュー・システムのマッピング２２５を含むことができ、ユーザは、オーディオ・ライブラリ２２６に格納された可聴アイテムの形でマッピング２２５にアクセスすることができる。
【００３７】
モバイル・デバイス２１０は、プロセッサ２１２、チップセット２１４、送信機／受信機２１６、およびメモリ２２０を含むことができる。プロセッサ２１２は、聴覚的マッパ２２１などのコードをチップセット２１４を介して受け取り、実行することができる。プロセッサ２１２は、たとえば、１つまたは複数のＩｎｔｅｌ（登録商標）Ａｔｏｍ（商標）プロセッサを含むことができ、チップセット２１４は、たとえば、Ｉｎｔｅｌ（登録商標）９４５ＧＣ  ＥｘｐｒｅｓｓチップセットまたはＭｏｂｉｌｅ  Ｉｎｔｅｌ（登録商標）９４５ＧＳＥ  Ｅｘｐｒｅｓｓチップセットを含むことができる。
【００３８】
チップセット２１４は、プロセッサ２１２、メモリ２２０、送信機／受信機２１６、および潜在的にディスプレイ、Ｐｅｒｉｐｈｅｒａｌ  Ｃｏｍｐｏｎｅｎｔ  Ｉｎｔｅｒｃｏｎｎｅｃｔ（ＰＣＩ）バス、Ｕｎｉｖｅｒｓａｌ  Ｓｅｒｉａｌ  Ｂｕｓ（ＵＳＢ）、ネットワーク・バス、または類似物などの他のデバイスの間の通信を調整するためにシステム・コントローラ・ハブを含むことができる。たとえば、チップセット２１４は、ポーズ入力インタープリタ２４４および送信機／受信機２４８を介する加速度計２４２からのデータを含む通信を腕時計２４０から受け取ることができる。チップセット２１４は、プロセッサ２１２から腕時計２４０およびイヤホン２５０に通信を送ることもできる。
【００３９】
現在の実施形態では、チップセット２１４は、プロセッサ２１２からの聴覚的マッパ２２１を実行する要求に応答して、メモリ２２０から命令およびデータを取り出すことができる。この命令およびデータは、加速度計２４２からの加速度計データおよびスイッチ２３２の状態に関するデータを解釈する論理を含むことができる。この命令およびデータは、スピーカ２５２を介して可聴アイテムを鳴らすためにイヤホン２５０に送るためにマッピング２２５内のユーザの現在のポーズ位置に関連するセルに基づいてオーディオ・ライブラリ２２６から可聴アイテムを選択する論理をも含むことができる。たとえば、聴覚的マッパ２２１は、モバイル・デバイス２１０のメイン・システム・メニューのオーディオ・マッピングを介するユーザによる操縦を容易にすることができる。聴覚的マッパ２２１は、命令を含むことができ、この命令は、プロセッサ２１２によって実行される時に、プロセッサに、現在のポーズ位置すなわち腕時計２４０の位置および回転に関連する座標にあるセルに関連するアイテムを示すためにイヤホン２５０に送るためにオーディオ・ライブラリ２２６内のサウンド・クリップなどの複数のオーディオ・アイテムから選択させる。
【００４０】
聴覚的マッパ２２１は、ユーザがリストをトラバースするために示す速度に基づいて、マッピング２２５内の異なる位置の複数の異なるオーディオ・アイテムから選択することもできる。たとえば、ユーザが、セルの中にいる間に速度を落とす時に、聴覚的マッパ２２１は、より高い速度で選択される可聴アイテムより持続時間においてより長い、セルを聴覚的に表す可聴アイテムを選択することができる。多くの実施形態では、聴覚的マッパ２２１は、短い可聴アイテムを送ることができ、その後、ユーザが、１００ｍｓなどのしきい時間期間を超えてそのセルに留まる場合に、より長い可聴アイテムを送ることができる。
【００４１】
送信機／受信機２１６は、腕時計２４０およびイヤホン２５０との通信のためのワイヤレス通信回路を含むことができる。現在の実施形態では、モバイル・デバイス２１０は、送信機２３４によって消費される電力を節約するために送信の距離を最小にするために、送信機２３４および腕時計２４０の送信機／受信機２４８を介してリング２３０から通信を受け取る。他の実施形態では、送信機２３４を、物理通信媒体を介して腕時計２４０に結合することができ、あるいは、ワイヤレスまたは有線の通信媒体を介して直接に送信機／受信機２１６に結合することができる。有線の相互接続を、たとえばシャツまたはジャケットなどの着られるアイテムに一体化することができる。
【００４２】
送信機／受信機２１６は、他のローカル・エリア・ネットワーク、広域ネットワーク、または類似物へのモバイル・デバイス２１０のアクセスを提供するために、ワイヤレス・ルータなどの図示されていない他のデバイスと通信することもできる。一実施形態では、たとえば、送信機／受信機２１６は、イーサネット（登録商標）・ネットワークと結合するためのイーサネット（登録商標）・アダプタと、コンピュータ・システム、外部ストレージ・デバイス、周辺機器、または他のそのようなデバイスと結合するためのＵＳＢアダプタとを含むことができる。
【００４３】
メモリ２２０は、プロセッサ２１２による実行のためのコードおよびデータ、リスト２２４などの１つまたは複数のリスト、ならびにオーディオ・ライブラリ２２６内の可聴アイテムを格納することができる。メモリ２２０は、ランダム・アクセス・メモリ、読取り専用メモリ、フラッシュ・メモリ、ハード・ドライブなどの磁気記憶媒体、コンパクト・ディスク・ドライブなどの光記憶媒体、ディジタル・ビデオ・ディスク媒体、または類似物を含む１つまたは複数の異なるタイプのデータ・ストレージを含むことができる。メモリ２２０を、モバイル・デバイス２１０の設計およびモバイル・デバイス２１０の異なるエリア内のメモリの配置に関連するさまざまな効率に基づいて、モバイル・デバイス２１０全体を通じて分散させることができる。たとえば、聴覚的マッパ２２１、マッピング２２５、オーディオ・ライブラリ２２６、可聴ユーザ・インターフェイス２２８、またはその任意の組合せを含むメモリの諸部分は、マッピング２２５のセルのトラバースおよびその上でのホバリングに関連する聴覚的フィードバックの提供に伴う待ち時間を減らすために、マイクロコントローラ２１８の近くに物理的に配置されるメモリに常駐することができる。
【００４４】
現在の実施形態では、メモリ２２０は、少なくとも、聴覚的マッパ２２１、マッピング２２５、およびオーディオ・ライブラリ２２６を含む。聴覚的マッパ２２１は、マッピング２２５などの聴覚的マッピングの形で、メニュー、サブメニュー、テーブル、サブテーブル、リスト、サブリスト、および類似物にアクセスするためのユーザ・インターフェイスを提供する。聴覚的マッパ２２１は、モバイル・デバイス２１０のパワー・アップ時に、またはスイッチ２３２の状態の変更もしくはボタンの押下げもしくは腕時計２４０の機能の開始によるなど、ユーザによる聴覚的マッパ２２１の選択時に、開始され得る。いくつかの実施形態では、聴覚的マッパ２２１を、腕時計２４０などのデバイスの識別時または腕時計２４０内に含まれるか否かにかかわらず加速度計２４２の識別時に、開始することができる。
【００４５】
聴覚的マッパ２２１は、マッピング２２５からの現在のマッピングと、現在のマッピング内の現在のポーズ位置との選択によって開始され得る。現在のポーズ位置は、腕時計２４０の位置に関連する座標に関連する。言い換えると、現在の実施形態では、聴覚的マッパ２２１は、チルトおよび回転に関する腕時計２４０の同一位置が聴覚的マッパ２２１の状態に関わりなく同一座標をもたらすように、絶対座標を使用する。他の実施形態は、現在のポーズ位置をたとえば聴覚的マッパ２２１が開始された時に同一の初期位置に置く、相対座標を使用することができる。さらなる実施形態は、最後に訪問されたセルまたは好ましい開始セルで聴覚的マッパ２２１を開始することができる。
【００４６】
聴覚的マッパ２２１現在アイテムを、現在のマッピングを判定し、マッピング２２５を介してその位置の現在のセルに現在のポーズ位置を関連付け、その後、現在のセルに関連するものとしてアイテムを識別することによって、識別することができる。聴覚的マッパ２２１は、デフォルト・マッピングを判定すること、ユーザ・プリファレンスによって示される好ましい初期マッピングを判定すること、最後にアクセスされたマッピングを判定すること、最も最近にアクセスされたセルを含むセルのマッピングをユーザに提供すること、または類似物によって、マッピング２２５の現在のマッピングを判定することができる。
【００４７】
その後、ユーザは、腕時計を回転するために手首を回転することによっておよび／または腕時計２４０をチルトするために肘を回転することによって、マッピング２２５をトラバースすることができる。マッピング２２５をトラバースしている間に、聴覚的マッパ２２１は、マッピング内のセルのトラバースの速度を示す可聴アイテムを生成すると同時に、速度に基づいてマッピング内のトラバースされているセルの拡大を調整することができる。聴覚的マッパ２２１は、オーディオ・ライブラリ２２６からトラバースされるセルに関連する可聴アイテムを選択することと、その可聴アイテムをユーザの耳（１つまたは複数）で鳴らすためにその可聴アイテムをイヤホン２５０に送ることとによって、可聴アイテムを生成することができる。
【００４８】
たとえば、腕時計２４０を反時計回りに回転し、腕時計２４０を上にチルトすることによって、加速度計２４２から加速度計データを作ることができる。腕時計２４０のポーズ入力インタープリタ２４４は、ポーズ入力インタープリタ２４４の粒度に基づいて、その回転およびチルトがポーズの変化を表すことを判定することができる。いくつかの実施形態では、この粒度は、腕時計２４０のユーザ・インターフェイスを介してまたはモバイル・デバイス２１０の可聴ユーザ・インターフェイス２２８を介してユーザによってセットされるプリファレンスとすることができる。たとえば、ポーズ入力インタープリタ２４４は、加速度計２４２から生データを受け取ることができ、ユーザがマッピング２２５を介する操縦のためにポーズ状態の変化を示したと判定する前に、腕時計２４０が任意の特定の方向で指定された大きさまたはしきい値（ある度数など）だけ回転されかつ／またはチルトされるまで待つことができる。しきい値に達した時に、ポーズ入力インタープリタ２４４は、腕時計２４０の回転およびチルトの変化を示すポーズ・データを、送信機／受信機２４８を介してモバイル・デバイス２１０に送ることができる。しきい値は、腕時計２４０内のコードによってセットでき、モバイル・デバイス２１０によってセットでき、加速度計２４２によって決定可能な変化の最小量（すなわちその粒度）とすることができ、あるいは、ポーズ入力インタープリタ２４４によって監視できる変化の最小量（すなわちその粒度）とすることができる。
【００４９】
聴覚的マッパ２２１は、腕時計２４０からポーズ・データを受け取り、新しい現在のポーズ位置を判定し、腕時計２４０の回転およびチルトが現在のポーズ位置を別のセルに配置するかどうかを判定し、速度を判定することができる。新しい現在のポーズ位置が新しいセルに関連する場合には、聴覚的マッパ２２１は、新しいセルに関連するフィードバックを提供するために、新しいセルに関連するオーディオ・アイコンなどの可聴アイテムをイヤホン２５０に送ることができる。イヤホン２５０は、スピーカ２５２を介してオーディオ・アイコンを出力することができる。新しい現在のポーズ位置が同一セルに関連する場合には、聴覚的マッパ２２１は、速度に基づいて、ユーザがそのセルの上でホバリングしていると判定し、現在のセルに関連する別の聴覚的アイテムを送ることができる。いくつかの実施形態は、速度に基づいてセルを拡大することもできる。
【００５０】
いくつかの実施形態では、ポーズ入力インタープリタ２４４によって示されるすべての変化が、少なくとも速度および現在のポーズ位置の座標の変化を表し、聴覚的マッパ２２１に送られる。さらなる実施形態では、ポーズ入力インタープリタ２４４の粒度は、聴覚的マッパ２２１が速度または現在のトラバース座標を変更する回転またはチルトのしきい値より小さい。たとえば、ユーザは、腕時計２４０を左に０．５度だけチルトする場合がある。ポーズ入力インタープリタ２４４は、チルトの変化が、ポーズ・データをモバイル・デバイス２１０に送るべきしきい値を超えると判定し、したがって、ポーズ・データを生成し、そのポーズ・データをモバイル・デバイス２１０に送ることができる。しかし、聴覚的マッパ２２１は、１度未満の運動を実施することができず、したがって、現在のポーズ位置は、変更されないままになる可能性がある。
【００５１】
いくつかの実施形態では、聴覚的マッパ２２１は、現在のポーズ位置に接近させるものがトップ・ゾーンまたはドロップ・ゾーンであることを表すポーズ入力インタープリタ２４４によって示される変化に応答してフィードバック信号を生成することができる。トップ・ゾーンは、聴覚的マッパ２２１が現在のマッピングから出て以前のマッピングまたはマッピング２２５の親マッピングに戻る位置とすることができる。ドロップ・ゾーンは、聴覚的マッパ２２１が現在のマッピングから出てメイン・システム・メニューまたはマッピング２２５の「ホーム」マッピングなどの聴覚的マッパ２２１のスタート・アップ時の初期メニューに戻るか、聴覚的マッパ２２１を終了する位置とすることができる。それに応答して、聴覚的マッパ２２１は、腕時計２４０のフィードバック・デバイス２４６にフィードバック信号を送ることができる。たとえば、フィードバック・デバイス２４６は、フィードバック信号によって示されるレートで振動を生成することができ、聴覚的マッパ２２１は、腕時計２４０のチルトがトップ・ゾーンまたはドロップ・ゾーンに接近する時にフィードバック・デバイス２４６による振動の周波数を高めるフィードバック信号を生成することができる。いくつかの実施形態では、聴覚的マッパ２２１は、ユーザがトップ・ゾーンまたはドロップ・ゾーンから離れてトラバースする時に、振動の周波数を減らす。他の実施形態では、フィードバック・デバイス２４６を、腕時計２４０以外の要素に配置することができる。フィードバック・デバイス２４６は、現在のセルの変化が発生したことの表示をユーザに提供することができる。
【００５２】
聴覚的マッパ２２１は、リング２３０のスイッチ２３２から選択信号を受け取った時に、リスト内のアイテムを選択することもできる。たとえば、聴覚的マッパ２２１が、鳴らすべき可聴アイテムをイヤホン２５０に送ることによって可聴アイテムを生成する時に、ユーザは、現在のセルに関連するアイテムの選択を示すために、リング２３０のボタンを押すことができる。
【００５３】
マッピング２２５は、図１Ｂのテーブル１２１などのセルにマッピングできる、あるいは図１Ｇに関連して説明したように順次トラバースできる、任意のデータまたは情報を含むことができる。たとえば、マッピング２２５は、曲、ラジオ局、電話番号、連絡先、ウェブ・サイトなどのテーブルのマッピングを含むことができる。マッピング２２５は、モバイル・デバイス２１０の、連絡先を開く、テキスト・メッセージを開く、電子メールを開く、ウェブ・ブラウザを開く、プリファレンスのメニューに入る、または類似物などの機能のマッピングをも含むことができる。現在の実施形態では、マッピング２２５は、アイテムを含むことができ、マッピング２２５内の各アイテムは、オーディオ・ライブラリ２２６内の１つまたは複数の可聴アイテムに関連付けられ得る。たとえば、マッピング２２５が、ユーザがそこからモバイル・デバイス２１０の異なる機能を選択できるメニューを含む場合に、各メニュー・アイテムを、サウンド・クリップなどの独自の可聴アイテムに関連付けることができる。さらなる実施形態では、聴覚的マッパ２２１は、テキスト−音声変換論理を含むことができ、その結果、可聴アイテムを、マッピング２２５内でマッピングされるテキスト・アイテムについて生成し、オーディオ・ライブラリ２２６に格納できるようになる。
【００５４】
リング２３０は、マッピング２２５内のアイテムを選択しまたは実行するためにそのアイテムを「グラブ」する便利で直観的な形を提供することができる。たとえば、ボタンを、リング２３０の底部に配置することができ、マッピング２２５内の関心をもたれているアイテムに達した後に、ユーザは、ユーザの親指でボタンに触れてスイッチ２３２をアクティブ化し、ユーザに通常はオブジェクトのグラブに関連する自然な運動を提供することができる。他の実施形態では、スイッチ２３２を、モバイル・デバイス２１０に通信的に結合される、イヤホン２５０などの異なるデバイス上に配置することができる。
【００５５】
リング２３０は、Ｂｌｕｅｔｏｏｔｈ（登録商標）送信機などの送信機２３４を介するワイヤレス通信機能をも含むことができる。リング２３０は、ユーザがスイッチ２３２をアクティブ化しまたは作動させるのに便利な位置にスイッチ２３２を維持することができる。現在の実施形態では、リング２３０は、ワイヤレスで腕時計２４０に接続される。スイッチ２３２の状態を変更した後に、送信機２３４は、選択信号を腕時計２４０に送ることができ、腕時計２４０は、選択信号をモバイル・デバイス２１０に送ることができる。現在の実施形態では、リング２３０は、送信機２３４に電力を与えるために、リチウム・イオン電池または他の電力貯蔵デバイスなどの電源２３６を含む。
【００５６】
腕時計２４０は、さまざまな腕時計機能のいずれをも提供することができる。現在の実施形態では、腕時計２４０は、加速度計２４２、ポーズ入力インタープリタ２４４、フィードバック・デバイス２４６、および送信機／受信機２４８を含む。現在の実施形態では、腕時計２４０は、生の３−Ｄ加速度計データをモバイル・デバイス２１０に送る。いくつかの実施形態では、腕時計２４０は、モバイル・デバイス２１０にポーズ・データを送る前にポーズ・データを作るために、加速度計データを処理するためにポーズ入力インタープリタ２４４を含む。他の実施形態では、腕時計２４０は、１つまたは複数のチルト・スイッチ、ジャイロスコープ・センサ、３−Ｄ加速度計、または腕時計２４０のチルトおよび回転を監視できる他のセンサなどの動きセンサを含むことができる。
【００５７】
イヤホン２５０は、ユーザに可聴アイテムを鳴らすことができる任意のタイプのイヤホンまたはヘッドセットとすることができる。イヤホン２５０は、スピーカ２５２および受信機２５４を含む。スピーカ２５２は、サウンドを作り、受信機２５４は、可聴アイテムを受信し、その信号を適当なフォーマットでスピーカ２５２に送ることができる。たとえば、受信機２５４が、物理媒体を介してモバイル・デバイス２１０に結合される場合には、受信機２５４は、前置増幅器またはインピーダンス整合回路網を含むことができる。他の実施形態では、受信機２５４は、可聴インジケータをワイヤレス信号として受信するためにワイヤレス受信機を含むことができる。さらなる実施形態では、受信機２５４は、有線またはワイヤレスのいずれかの、ディジタル受信機を含むことができ、ディジタル信号をスピーカ２５２によって鳴らすことのできるアナログ信号に変換する論理を含むことができる。
【００５８】
別の実施形態では、聴覚的フィードバックを視覚的ディスプレイ（ヘッド・マウント・ディスプレイ）に置換することができ、手首ポーズおよび肘ポーズは、ディスプレイ上の特定のメニュー・アイテムにマッピングされる。
【００５９】
ここで図３を参照すると、モバイル・デバイス３１０の代替実施形態３００が示されている。モバイル・デバイス３１０は、ＰＤＡ、セル電話機、ネットブック機、ネットトップ機、または類似物などの任意のタイプのポータブル・デバイスとすることができる。図２のモバイル・デバイス２１０と同様に、モバイル・デバイス３１０は、プロセッサ２１２、チップセット２１４、送信機／受信機２１６、ならびに、モバイル・デバイス３１０と共に使用するために適合された聴覚的マッパ２２１、マッピング２２５、および可聴インターフェイス２２８を有するメモリ２２０を含み、したがって、次の議論は、主に相違に焦点を合わせる。モバイル・デバイス３１０は、スイッチ３２０、スピーカ３２３、動きセンサ３２４、およびフィードバック・デバイス３２６をも含む。
【００６０】
プロセッサ２１２は、処理の重荷を軽くするためにマイクロコントローラを有するのではなく、聴覚的マッパ２２１を実施するコードおよびデータを処理することができる。いくつかの実施形態では、プロセッサ２１２は、セルに関連する可聴アイテムの送出を介するセルのトラバースのフィードバックの提供など、聴覚的マッパ２２１に関連するさまざまな機能を処理するのに優先順位を使用することができる。
【００６１】
スイッチ３２０は、ユーザがマッピング２２５からアイテムを選択していることのユーザからの表示を提供することができる。スイッチ３２０は、ばね式のボタンまたはモバイル・デバイス３１０のタッチ・スクリーンの少なくとも一部を利用するソフトウェアによって使用可能にされるボタンとすることができる。他の実施形態では、スイッチ３２０を、音声によってアクティブ化されるものまたは他の形でリモートからアクティブ化されるものとすることができる。
【００６２】
スピーカ３２３は、マッピング２２５の現在のポーズ位置のセルについてユーザに知らせるために可聴アイテムを知らせるか鳴らすことができる。いくつかの実施形態では、スピーカ３２３は、可聴アイテムをヘッドセットに出力するオーディオ・ジャックを含むことができる。
【００６３】
動きセンサ３２４は、モバイル・デバイス３１０の運動、具体的には、たとえば左右および上下への、腕時計２４０のチルトまたは回転を記述するデータを生成することができる。動きセンサ３２４は、３−Ｄ加速度計チップまたは他のタイプの動きセンサを含むことができ、バスを介してマイクロコントローラ３１８に結合され得る。多くの実施形態では、動きセンサ３２４を、バスを介してマイクロコントローラ３１８に直接に結合することができる。多くの実施形態では、モバイル・デバイス３１０の運動を記述するデータを生成するために加速度計をモバイル・デバイス３１０に一体化するのではなく、実施形態は、ジャイロスコープ、チルト・センサ、または複数のチルト・スイッチなどの別のタイプの動きセンサを一体化することができる。
【００６４】
フィードバック・デバイス３２６は、オーディオ以外の形でユーザにフィードバックを提供する機構を含むことができる。たとえば、フィードバック・デバイス３２６は、モバイル・デバイス３１０に結合されたバッテリ上の振動ジェネレータを含むことができる。他の実施形態では、フィードバック・デバイス３２６は、点滅するライト、発光ダイオード（ＬＥＤ）、またはＬＥＤの行などの視覚的フィードバックを含むことができる。たとえば、ユーザがモバイル・デバイス３１０のチルトを増やす時に、聴覚的マッパ２２１は、リストの操縦に使用可能なチルトの総範囲内のチルトの範囲またはトップ・ゾーンもしくはドロップ・ゾーンに対する範囲のいずれかを示すために、点滅するライト（モバイル・デバイス３１０のディスプレイの一部とすることができる）の点滅の周波数を増やす、ＬＥＤによって放たれる光の強度を増やす、ＬＥＤの行内の点灯しているＬＥＤの数を増やすなどを行うことができる。
【００６５】
図４に、可聴マッピング４４９を介してセルをトラバースする装置４００の実施形態を示す。装置４００は、可聴マッピングを介するリスト４６４へのアクセスを容易にするためにサーバ、デスクトップ機、ノートブック機、ネットトップ機、ネットブック機などのコンピュータと結合されるモジュールを含むことができる。リスト４６４は、デバイス内またはコンピュータに一体化されるか結合されるストレージ内のいずれかに常駐することができる。装置４００は、外部バスまたはＵＳＢコネクタもしくはイーサネット（登録商標）・アダプタなどのネットワーク接続を介して接続することができる。他の実施形態では、装置４００は、コンピュータ内にインストールされたハードウェアおよび／またはコードなどのコンピュータに一体化されたモジュールを含むことができる。たとえば、装置４００は、モバイル・デバイスに可聴マッピング４４９のセルをトラバースする能力を与えるためにＵＳＢコネクタを介してモバイル・デバイスに接続できるハードウェア・コンポーネントを含むことができる。
【００６６】
装置４００は、ユーザ・プリファレンス４１０、聴覚的マッパ４２０、およびライブラリ４６０を含む。ユーザ・プリファレンス４１０は、ポーズ・データの解釈に関するプリファレンスまたは速度および方向へのポーズ・データのマッピング、ならびに、たとえば、トップ・ゾーンおよびドロップ・ゾーンの境界、手首回転の境界、肘回転の境界、好ましいセル・サイズ、好ましいセル・サイズ範囲、好ましい拡大方法、または類似物を含むことができる。ユーザ・プリファレンス４１０は、聴覚的マッパ４２０の他の機能性に関連するプリファレンスをも含むことができる。
【００６７】
聴覚的マッパ４２０は、マッピング４４９のセルのトラバースを容易にするためのハードウェアおよびコードを含む論理を含むことができる。たとえば、聴覚的マッパ４２０は、マッピング４４９内のセルに関連する可聴アイテム４６２を選択するためにライブラリ４６０にアクセスし、これらのアイテムがトラバースされる時にマッピング４４９内のアイテムを表す可聴アイテムを出力することができる。
【００６８】
聴覚的マッパ４２０は、ポーズ・データ・インタープリタ４２２、ポーズ状態デターミナ４３０、メモリ４４０、およびオーディオ出力論理４５０を含むことができる。ポーズ・データ・インタープリタ４２２は、マッピング４４９を介してトラバースを指示することを意図されたユーザの運動を検出する動きセンサからの生センサ・データを解釈することができる。多くの実施形態で、生センサ・データは、ユーザの手首、肘、指、首、頭、くるぶし、または類似物など、横位置および縦位置を示すことができる。他の実施形態では、生センサ・データは、任意の角度ポーズを表すことができる。一実施形態では、接触感知リングに関する親指または指の配置あるいはリングの別の部分に関するリングの部分の位置が、メニュー・マッピングのためのポーズ・データを提供する。
【００６９】
ポーズ・データ・インタープリタ４２２は、ユーザ入力ならびに現在のトラバース速度または速度から現在のトラバース座標を判定する。ポーズ・データ・インタープリタ４２２は、角運動プロセッサ４２４および速度モニタ４２６を含む。角運動プロセッサ４２４は、入力データに基づいて運動の度合を判定し、運動の度合をたとえば緯度座標および経度座標に関連付けることができる。速度モニタ４２６は、緯度方向および／または経度方向の速度を監視することができる。
【００７０】
ポーズ・データ・インタープリタ４２２はまた、ボタンまたはスイッチから生情報を入力し、その信号を処理するか、ポーズ状態デターミナ４３０の選択論理に選択信号として再送することができる。たとえば、ポーズ・データ・インタープリタ４２２は、スイッチが状態を変化させたことおよび／またはスイッチがデフォルト状態または正常状態に戻ったことを示すデータを受け取ることができる。これに応答して、ポーズ・データ・インタープリタ４２２は、選択論理４３８に命令を通信することができる。
【００７１】
いくつかの実施形態で、ポーズ・データ・インタープリタ４２２またはその一部は、別のデバイス４２０に常駐することができる。たとえば、ポーズ・データ・インタープリタ４２２が、図２の腕時計２４０などの腕時計に常駐することができる。
【００７２】
ポーズ・データ・インタープリタ４２２が、ポーズ・データを判定し、ポーズ・データをポーズ状態デターミナ４３０に送る時に、ポーズ状態デターミナ４３０は、現在のマッピング４４６を判定し、新しい現在のポーズ位置または現在座標４４５を判定し、新しい現在のポーズ位置に関連する新しい現在のセル４４７を判定し、現在のセルの選択を検出し、現在のマッピング４４６を可聴アイテムを介してユーザに通信するためにオーディオ出力論理４５０と相互作用することができる。
【００７３】
ポーズ状態デターミナ４３０は、マッピング論理４３２、ホバリング論理４３３、拡大論理４３４、セル・アソシエータ４３６、および選択論理４３８を含む。マッピング論理４３２は、現在のマッピング４４６を判定し、現在のマッピングを現在のマッピング４４６に格納することができる。たとえば、ポーズ状態デターミナ４３０の最初の実行の時に、ポーズ状態デターミナ４３０は、組込みデフォルト・マッピング、ユーザ・プリファレンス４１０からのデフォルト・マッピング、またはユーザ・プリファレンス４１０内で示される別のマッピングを選択することができる。さらに、現在のマッピング内のセルの選択時に、マッピング論理４３２は、現在のマッピング４４６を変更することができる。たとえば、現在のセルの実行が、子マッピングに入ることを伴う場合に、マッピング論理４３２は、メモリ４４０内の現在のマッピング４４６を子マッピングに変更し、メモリ４４０のマップ・ヒストリ４４８に親の表示を格納する。
【００７４】
いくつかの実施形態では、マッピング論理４３２は、新しい現在のマッピング４４６に関連付けるべき新しい基準位置を判定することもでき、この新しい基準位置は、ユーザ・プリファレンスに基づいて、相対マッピング座標を新しい現在のマッピング４４６にマッピングする。
【００７５】
ホバリング論理４３３は、ユーザが別の可聴アイテムを送るためのしきい値に達するのに十分に長く、あるセル上でホバリングしたまたはあるセルに留まったかどうかを判定することができる。具体的に言うと、セル・アソシエータ４３６は、ユーザが異なるセルにトラバースしたことを判定した時にセルに関連する第１可聴アイテムを出力するように、オーディオ出力論理４５０に指示することができる。ユーザが、しきい値時間期間の間に同一セルに関して現在座標を維持する場合に、ホバリング論理４３３は、追加可聴アイテムが送出に使用可能でなくなるか、ユーザがそのセルを出るまで、そのセルに関連する可聴アイテムを送り続けることができる。いくつかの実施形態では、各連続する可聴アイテムを、異なるしきい値に関連付けることができる。追加の可聴アイテムが送出に使用可能ではない時には、いくつかの実施形態では、ホバー論理４３３は、可聴アイテムのうちの１つまたは複数を繰り返して送ることができる。他の実施形態では、ホバー論理４３３は、以前の可聴アイテムの送出の後に、各連続する可聴アイテムを送ることができる。
【００７６】
拡大論理４３４は、ユーザがセルをトラバースする速度を監視し、現在のセルの拡大を判定し、いくつかの実施形態では、現在のセル４４７に隣接するセルを判定することができる。いくつかの実施形態では、セルは、セルの高さおよび／または幅を増やすことによって拡大される。多くの実施形態では、セルは、速度がユーザによるセルへの関心を示すのに十分に遅くなるまで拡大されず、関心は、速度の関数とすることができ、ユーザ・プリファレンス４１０に格納できるセッティングとすることができる。
【００７７】
セル・アソシエータ４３６は、セルを現在の座標に関連付ける論理を含むことができる。たとえば、ポーズ・データ・インタープリタ４２２から新しい座標を受け取った時に、セル・アソシエータ４３６は、ユーザが異なるセルにトラバースしたのか、同一セル内に留まったのかを判定することができる。セル・アソシエータ４３６は、メモリ４４０の現在のセル４４７に現在のセルの表示を格納することができる。
【００７８】
選択論理４３８は、選択信号を受け取った時に、選択信号に基づいて現在のセルの選択を判定する。セルの実行が、機能の実行を伴う場合には、その機能を実行することができ、ポーズ状態４４２は、変更されないままになることができる。その一方で、セルの実行が、子マッピングに入ることを伴う場合には、選択論理４３８は、これをマッピング論理４３２に通信して、現在のマッピング４４６を更新することができる。
【００７９】
オーディオ出力論理４５０は、ポーズ状態デターミナ４３０からの表示に応答して、セルの可聴アイテムを判定し、出力することができる。オーディオ出力論理４５０は、可聴アイテム・デターミナ４５２、伝達関数論理４５４、およびオーディオ出力４５６を含むことができる。可聴アイテム・デターミナ４５２は、ポーズ状態デターミナ４３０によって示される関連付けに基づいて現在のセル４４７の可聴アイテムを判定し、ライブラリ４６０内の可聴アイテム４６２から可聴アイテムを取り出すことができる。その後、可聴アイテム・デターミナ４５２は、可聴アイテムをオーディオ出力４５６を介してオーディオ出力機構に送ることができる。いくつかの実施形態で、伝達関数論理４５４は、可聴アイテムを送る前に、頭部伝達関数または類似物を用いて可聴アイテムを変更することができる。
【００８０】
図５に、可聴マッピングを介してセルをトラバースする実施形態のフロー・チャート５００を示す。フロー・チャート５００は、座標を含むポーズ・データを受け取ること（要素５０５）から始まる。聴覚的マッパのポーズ・データ・インタープリタは、このデータを受け取ることができ、このデータは、たとえばポーズ・センサからの生データまたは部分的に処理されたデータとすることができる。次に、ポーズ・データ・デターミナが、ポーズ・データに関連する現在座標を判定し、速度を判定することができる（要素５１０）。
【００８１】
速度を判定した後に、ポーズ状態デターミナは、現在のマッピングに基づいて現在座標に関連するセルを判定することができ（要素５１５）、セルと可聴アイテムとの間の関連ならびに現在速度と可聴アイテムとの間の関連に基づいてセルに関連する可聴アイテムを判定することができる。たとえば、ユーザが、セルに到達したばかりの場合に、そのセルに関連する第１可聴アイテムを選択し、可聴マッパに送ることができる（要素５２２）。その一方で、第１可聴アイテムが、アイテムについて既に送られており、ユーザがそのセルの上に留まる場合には、聴覚的マッパのホバリング論理は、現在のセルの第１可聴アイテムが出力され終え、ユーザが、ユーザに第２可聴アイテムを送るのに十分に長くそのセルに留まったと判定することができる。ホバー論理は、セルの可聴アイテムがもうなくなるまで、ホバリングしきい値に達した時に可聴アイテムを送出し続けることができる。他の実施形態では、ホバリング論理は、最後のアイテムを繰り返し続けることができる。
【００８２】
拡大論理は、速度を監視し、所定の配置に従ってセルのサイズを調整することができる。ユーザが現在のセルの上で速度を落としたことの判定（要素５２５）に応答して、拡大論理は、セルのサイズを増やすことができる（要素５３０）。いくつかの実施形態では、現在のセルのサイズ調整が、およびいくつかの実施形態では、現在のセルに非常に近いセルのサイズ調整が、セルで費やされる所定の持続時間に基づく所定の変化である。他の実施形態では、セルのサイズを、図１Ｅの曲線１４９などの拡大曲線に従って継続的に変更することができる。
【００８３】
判断要素５３５では、ポーズ状態デターミナの選択論理が、選択信号が受け取られたかどうかを判定する。選択信号が受け取られる場合には、ポーズ状態デターミナは、現在のセルに関連する機能がセルの子マッピングに関連するかどうかを判定する。そうである場合には、ポーズ状態デターミナは、現在のマッピングとして新しいマッピングを選択し（要素５６０）、以前のマッピングの表示をメモリに格納し、その結果、以前のマッピングまたは親マッピングを、子セル・マッピング内のアクティビティの完了時に返せるようになる。その後、このフロー・チャートは、要素５０５に戻って、新しい子マッピングをトラバースするために追加ポーズ・データを受け取る。
【００８４】
その一方で、セル機能が、単純に実行できるか、他の形で子マッピングを介する操縦を必要としない場合には、現在のセルに関連する機能が、実行され、制御は、聴覚的マッパに返される（要素５４５）。ユーザが、セル機能を実行した後に何もしないか、他の形でユーザが聴覚的マッパを終了することを意図することを示す場合には、フロー・チャート５００は、終了する。そうでない場合には、ポーズ・データ・デターミナは、要素５０５でポーズ・データを受け取り、フロー・チャート５００は継続される。
【００８５】
もう１つの実施形態は、図１〜図５を参照して説明したシステムおよび方法を実施するプログラム製品として実施される。実施形態は、完全にハードウェアの実施形態、完全にソフトウェアの実施形態、またはハードウェア要素とソフトウェア要素との両方を含む実施形態の形をとることができる。１つの実施形態は、ソフトウェアで実施されるが、ファームウェア、常駐ソフトウェア、マイクロコードなどを含む（これらに限定はされない）。
【００８６】
さらに、実施形態は、コンピュータまたは任意の命令実行システムによるまたはこれに関連する使用のためのプログラム・コードを提供するコンピュータ使用可能媒体またはコンピュータ可読媒体からアクセス可能なコンピュータ・プログラム製品の形をとることができる。この説明において、コンピュータ使用可能媒体またはコンピュータ可読媒体は、命令実行システム、装置、またはデバイスによるまたはこれに関連する使用のためのプログラムを含み、格納し、通信し、伝搬させ、または転送することができるすべての装置とすることができる。
【００８７】
媒体は、電子システム、磁気システム、光学システム、電磁システム、赤外線システム、または半導体システム（あるいは装置またはデバイス）あるいは伝搬媒体とすることができる。コンピュータ可読媒体の例は、半導体メモリもしくはソリッド・ステート・メモリ、磁気テープ、リムーバブル・コンピュータ・ディスケット、ランダム・アクセス・メモリ（ＲＡＭ）、読取り専用メモリ（ＲＯＭ）、リジッド磁気ディスク、および光ディスクを含む。光ディスクの現在の例は、コンパクト・ディスク−読取り専用メモリ（ＣＤ−ＲＯＭ）、追記型コンパクト・ディスク（ＣＤ−Ｒ／Ｗ）、およびＤＶＤを含む。
【００８８】
プログラム・コードを格納し、かつ／または実行するのに適するデータ処理システムは、システム・バスを介してメモリ要素に直接にまたは間接に結合された少なくとも１つのプロセッサを含む。メモリ要素は、プログラム・コードの実際の実行中に使用されるローカル・メモリ、バルク・ストレージ、およびコードを実行中にバルク・ストレージから取り出さなければならない回数を減らすために少なくとも一部のプログラム・コードの一次的ストレージを提供するキャッシュ・メモリを含むことができる。
【００８９】
入出力またはＩ／Ｏデバイス（キーボード、ディスプレイ、ポインティング・デバイスなどを含むがこれらに限定はされない）を、直接にまたは介在するＩ／Ｏコントローラを介してのいずれかでシステムに結合することができる。ネットワーク・アダプタをシステムに結合して、データ処理システムを介在するプライベート・ネットワークもしくは公衆ネットワークを介して他のデータ処理システムまたはリモート・プリンタもしくはリモート・ストレージ・デバイスに結合することを可能にすることもできる。モデム、ケーブル・モデム、およびイーサネット（登録商標）・アダプタ・カードは、現在使用可能なタイプのネットワーク・アダプタのうちのごく少数である。
【００９０】
上で説明した論理を、集積回路チップの設計の一部とすることができる。チップ設計は、グラフィカル・コンピュータ・プログラミング言語で作成され、コンピュータ記憶媒体（ディスク、テープ、物理ハード・ドライブ、またはストレージ・アクセス・ネットワーク内などの仮想ハード・ドライブなど）に格納される。設計者が、チップまたはチップの製造に使用されるフォトリソグラフィ・マスクを製造しない場合には、設計者は、結果の設計を物理的手段によって（たとえば、設計を格納した記憶媒体のコピーを提供することによって）または電子的に（たとえば、インターネットを介して）そのようなエンティティに直接にまたは間接に送る。格納された設計は、その後、フォトリソグラフィ・マスクの製造に適当なフォーマット（たとえば、ＧＤＳＩＩ）に変換され、これは、通常、ウェハ上に形成される当該のチップ設計の複数のコピーを含む。フォトリソグラフィ・マスクは、エッチングまたはその他の形で処理されるウェハ（および／またはその上のレイヤ）の区域を定義するのに利用される。
【００９１】
結果の集積回路チップを、製造者によって生のウェハの形で（すなわち、複数のパッケージ化されていないチップを有する単一のウェハとして）、ベア・ダイとして、またはパッケージ化された形で配布することができる。後者の場合に、チップは、単一のチップ・パッケージ（マザーボードまたは他のより高水準のキャリアに固定されるリードを有するプラスチック・キャリアなど）またはマルチチップ・パッケージ（表面相互接続または埋込み相互接続の一方または両方を有するセラミック・キャリアなど）内に取り付けられる。どの場合でも、チップは、その後、（ａ）マザーボードなどの中間製品または（ｂ）最終製品のいずれかの一部として、他のチップ、ディスクリート回路要素、および／または他の信号処理デバイスと一体化される。最終製品は、玩具および他のローエンド・アプリケーションからディスプレイ、キーボードまたは他の入力デバイス、および中央プロセッサを有する高度なコンピュータ製品までの範囲にわたる、集積回路チップを含むすべての製品とすることができる。
【００９２】
本開示の利益を有する当業者には、本開示がポーズから聴覚へのマッピングを企図していることが明白であろう。詳細な説明および図面に図示され、説明された実施形態の形が、単に例として解釈されるべきことを理解されたい。添付の特許請求の範囲が、開示された正確な実施形態のすべての変形を含むべく広義に解釈されることが意図されている。
【００９３】
本開示およびその利益の一部を、いくつかの実施形態について詳細に説明したが、さまざまな変更、置換、および代替を、添付の特許請求の範囲によって定義される本開示の趣旨および範囲から逸脱せずに行うことができることを理解されたい。特定の実施形態は、複数の目的を達成することができるが、添付の特許請求の範囲に含まれるすべての実施形態が、すべての目的を達成するわけではない。さらに、本願の範囲は、本明細書で説明されたプロセス、機械、製造、材料の組成、手段、方法、およびステップの特定の実施形態に限定されることを意図されたものではない。当業者は、本開示から、現在存在するか後に開発される、本明細書で説明された対応する実施形態と実質的に同一の機能を実行するか実質的に同一の結果を達成する、プロセス、機械、製造、材料の組成、手段、方法、またはステップを利用できることを、たやすく了解するであろう。したがって、添付の特許請求の範囲は、その範囲内に、そのようなプロセス、機械、製造、材料の組成、手段、方法、またはステップを含むことが意図されている。
【符号の説明】
【００９４】
１１０  モバイル・デバイス
１２０  腕時計
１２５  ボタン
１３０  イヤホン
１４０  ＢＬＵＥＴＯＯＴＨ（登録商標）通信
２１０  モバイル・デバイス
２１２  プロセッサ
２１４  チップセット
２１６  送信機／受信機
２１８  マイクロコントローラ
２２０  メモリ
２２１  聴覚的マッパ
２２５  マッピング
２２６  オーディオ・ライブラリ
２２８  可聴ユーザ・インターフェイス
２３０  リング
２３２  スイッチ
２３４  送信機
２３６  電源
２４０  腕時計
２４２  加速度計
２４４  ナビゲーション入力インタープリタ
２４６  フィードバック・デバイス
２４８  送信機／受信機
２５０  イヤホン
２５２  スピーカ
２５４  受信機
２１２  プロセッサ
２１４  チップセット
２１６  送信機／受信機
２２０  メモリ
２２１  聴覚的マッパ
２２５  マッピング
２２６  オーディオ・ライブラリ
２２８  可聴ユーザ・インターフェイス
３１０  モバイル・デバイス
３２０  スイッチ
３２３  スピーカ
３２４  動きセンサ
３２６  フィードバック・デバイス
【図１Ａ】
2010157242.tif 000003
【図１Ｂ】
2010157242.tif 000004
【図１Ｃ】
2010157242.tif 000005
【図１Ｄ】
2010157242.tif 000006
【図１Ｅ】
2010157242.tif 000007
【図１Ｆ】
2010157242.tif 000008
【図１Ｇ】
2010157242.tif 000009
【図２】
2010157242.tif 000010
【図３】
2010157242.tif 000011
【図４】
2010157242.tif 000012
【図５】
2010157242.tif 000013
【外国語明細書】
2010157242000001.pdf